(57)【要約】【課題】ヒューズ部の動作性を改善した金属化フィルムを提供する。【解決手段】誘電体フィルム３の幅方向において接続部６側の分割電極１３の列から順に、第１の列、第２の列、第３の列としたときに、第１の列に属する分割電極１３、１３同士の間と、第２の列に属する分割電極１３、１３同士の間とにはヒューズ部１４が設けられておらず、第３の列に属する分割電極１３、１３同士の間にヒューズ部１４が設けられており、さらに、第１の列に属する１つの分割電極１３が第２の列に属する２つの分割電極１３、１３とヒューズ部１４を介して接続され、第２の列に属する１つの分割電極１３が、第１の列に属する２つの分割電極１３、１３とヒューズ部１４を介して接続されているとともに、第３の列に属する１つの分割電極１３とヒューズ部１４を介して接続されている。【選択図】図２
2020119981.tif 000002
【特許請求の範囲】
【請求項１】
誘電体フィルムに蒸着電極を形成してなる金属化フィルムであって、
蒸着電極が、誘電体フィルムの幅方向の一方端部に設けられた接続部と、絶縁スリットによって分割された略四角形の複数の分割電極と、隣り合う分割電極同士を接続するヒューズ部とを備えており、
分割電極が誘電体フィルムの幅方向に少なくとも３列並んでおり、
誘電体フィルムの幅方向において接続部側の分割電極の列から順に、第１の列、第２の列、第３の列としたときに、
第１の列に属する分割電極同士の間と、第２の列に属する分割電極同士の間とにはヒューズ部が設けられておらず、
第３の列に属する分割電極同士の間にヒューズ部が設けられており、
さらに、第１の列に属する１つの分割電極が第２の列に属する２つの分割電極とヒューズ部を介して接続され、
第２の列に属する１つの分割電極が、第１の列に属する２つの分割電極とヒューズ部を介して接続されているとともに、第３の列に属する１つの分割電極とヒューズ部を介して接続されている、金属化フィルム。
【請求項２】
誘電体フィルムに蒸着電極を形成してなる金属化フィルムであって、
蒸着電極が、誘電体フィルムの幅方向の一方端部に設けられた接続部と、絶縁スリットによって分割された複数の分割電極と、隣り合う分割電極同士を接続するヒューズ部とを備えており、
最も接続部側の分割電極を除く他の分割電極が、分割電極１つにつき３つの分割電極とヒューズ部を介して接続されており、以下の関係が全ての分割電極において成り立っている、金属化フィルム。
（１）ある任意の分割電極を基点分割電極とし、
基点分割電極とヒューズ部を介して接続された分割電極を一次分割電極とし、
一次分割電極と他のヒューズ部を介して接続された分割電極を二次分割電極としたとき、任意の二次分割電極から分割電極を通って基点分割電極に至る経路が２以上形成され、うち１つの経路がヒューズ部を２つだけ通る経路とされ、他の経路はヒューズ部を３つ以上通る経路とされている。
【請求項３】
誘電体フィルムに蒸着電極を形成してなる金属化フィルムであって、
蒸着電極が、絶縁スリットによって分割された略四角形の複数の分割電極と、隣り合う分割電極同士を接続するヒューズ部とを備えており、以下の関係が全ての分割電極において成り立っている、金属化フィルム。
（１）ある任意の分割電極を基点分割電極とし、
基点分割電極とヒューズ部を介して接続された分割電極を一次分割電極とし、
一次分割電極と他のヒューズ部を介して接続された分割電極を二次分割電極としたとき、任意の二次分割電極から分割電極を通って基点分割電極に至る経路が２以上形成され、うち１つの経路がヒューズ部を２つだけ通る経路とされ、他の経路はヒューズ部を３つ以上通る経路とされている。
【請求項４】
誘電体フィルムに蒸着電極を形成してなる金属化フィルムであって、
蒸着電極が、誘電体フィルムの幅方向の一方端部に設けられた接続部と、絶縁スリットによって分割された複数の分割電極と、隣り合う分割電極同士を接続するヒューズ部とを備えており、
最も接続部側の分割電極を除く他の分割電極が、分割電極１つにつき３つの分割電極とヒューズ部を介して接続されており、以下の関係がある分割電極において成り立っている、金属化フィルム。
（２）ある任意の分割電極を基点分割電極とし、
基点分割電極と第１のヒューズ部を介して接続された一次分割電極と、この一次分割電極と他のヒューズ部を介して接続された２つの二次分割電極とを第１の分割電極群とし、
基点分割電極と第２のヒューズ部を介して接続された一次分割電極と、この一次分割電極と他のヒューズ部を介して接続された２つの二次分割電極とを第２の分割電極群とし、
基点分割電極と第３のヒューズ部を介して接続された一次分割電極と、この一次分割電極と他のヒューズ部を介して接続された２つの二次分割電極とを第３の分割電極群としたとき、分割電極群間で分割電極の重複が生じていない。
【請求項５】
誘電体フィルムに蒸着電極を形成してなる金属化フィルムであって、
蒸着電極が、絶縁スリットによって分割された略四角形の複数の分割電極と、隣り合う分割電極同士を接続するヒューズ部とを備えており、以下の関係がある分割電極において成り立っている、金属化フィルム。
（２）ある任意の分割電極を基点分割電極とし、
基点分割電極と第１のヒューズ部を介して接続された一次分割電極と、この一次分割電極と他のヒューズ部を介して接続された２つの二次分割電極とを第１の分割電極群とし、
基点分割電極と第２のヒューズ部を介して接続された一次分割電極と、この一次分割電極と他のヒューズ部を介して接続された２つの二次分割電極とを第２の分割電極群とし、
基点分割電極と第３のヒューズ部を介して接続された一次分割電極と、この一次分割電極と他のヒューズ部を介して接続された２つの二次分割電極とを第３の分割電極群としたとき、分割電極群間で分割電極の重複が生じていない。
【請求項６】
請求項１から５のいずれかに記載の金属化フィルムを用いた、金属化フィルムコンデンサ。
【発明の詳細な説明】
【技術分野】
【０００１】
この発明は、誘電体フィルム上に蒸着電極を形成してなる金属化フィルム及びそれを用いた金属化フィルムコンデンサに関する。
【背景技術】
【０００２】
金属化フィルムコンデンサにおいて、誘電体フィルムの表面に蒸着された蒸着電極を絶縁スリットによって区画し、区画された分割電極同士をヒューズ部を介して接続することは、例えば特許文献１、２に示すように従来から行われている。このような構成の金属化フィルムコンデンサは、絶縁が欠損した部分の蒸着電極を飛散させることで絶縁を回復する自己回復機能に加えて、自己回復機能で絶縁を回復できなかった場合にヒューズ部を溶断して欠陥電極を切り離し、絶縁を回復させる自己保安機能を備えている。なお、ヒューズ部の溶断は、欠陥電極の周辺に位置し、互いにヒューズ部を介して接続されている分割電極（以下、近隣電極という）から流れ込む電流によって生じる。
【先行技術文献】
【特許文献】
【０００３】
【特許文献１】特許第６０７４６２３号公報
【特許文献２】特開平１０−３０８３２３号公報
【発明の概要】
【発明が解決しようとする課題】
【０００４】
ところで、近年、誘電体フィルムの薄膜化に伴い電位傾度が増加したことで、絶縁不良が生じ易くなっている。そのため、ヒューズ部を確実に動作させることが重要になっているが、１つの分割電極に対して複数のヒューズ部が接続されている場合、近隣電極から欠陥電極に至る経路が複数形成されるため、ある近隣電極からの電流は複数のヒューズ部に分散して欠陥電極に流れ込むことになる。この際、電流が全て均等に分散するのであれば特に問題はないが、ヒューズ部間での寸法差等によって不均等に分散するため、あるヒューズ部には電流が十分流れるが、あるヒューズ部には電流があまり流れないといった状況が生じ、ヒューズ部の動作（溶断）に支障をきたすことがあった。
【０００５】
そこで本発明は、ヒューズ部の動作性を改善した金属化フィルムの提供を目的とする。
【課題を解決するための手段】
【０００６】
上記課題を解決するため、本発明の金属化フィルムは、誘電体フィルム３に蒸着電極４を形成してなる金属化フィルム２（２Ａ）であって、蒸着電極４が、誘電体フィルム３の幅方向の一方端部に設けられた接続部６と、絶縁スリット８によって分割された略四角形の複数の分割電極１３と、隣り合う分割電極１３、１３同士を接続するヒューズ部１４とを備えており、分割電極１３が誘電体フィルム３の幅方向に少なくとも３列並んでおり、誘電体フィルム３の幅方向において接続部６側の分割電極１３の列から順に、第１の列、第２の列、第３の列としたときに、第１の列に属する分割電極１３、１３同士の間と、第２の列に属する分割電極１３、１３同士の間とにはヒューズ部１４が設けられておらず、第３の列に属する分割電極１３、１３同士の間にヒューズ部１４が設けられており、さらに、第１の列に属する１つの分割電極１３が第２の列に属する２つの分割電極１３、１３とヒューズ部１４を介して接続され、第２の列に属する１つの分割電極１３が、第１の列に属する２つの分割電極１３、１３とヒューズ部１４を介して接続されているとともに、第３の列に属する１つの分割電極１３とヒューズ部１４を介して接続されていることを特徴としている。
【０００７】
また、本発明の別の金属化フィルムは、誘電体フィルム３に蒸着電極４を形成してなる金属化フィルム２（２Ａ、２Ｂ）であって、蒸着電極４が、誘電体フィルム３の幅方向の一方端部に設けられた接続部６と、絶縁スリット８によって分割された複数の分割電極１３と、隣り合う分割電極１３、１３同士を接続するヒューズ部１４とを備えており、最も接続部６側の分割電極１３を除く他の分割電極１３が、分割電極１つにつき３つの分割電極とヒューズ部１４を介して接続されており、以下の関係が全ての分割電極１３において成り立っていることを特徴としている。
（１）ある任意の分割電極１３を基点分割電極Ｒとし、基点分割電極Ｒとヒューズ部１４を介して接続された分割電極１３を一次分割電極Ｒ１（Ｒ２、Ｒ３）とし、一次分割電極Ｒ１（Ｒ２、Ｒ３）と他のヒューズ部１４を介して接続された分割電極１３を二次分割電極Ｒ１１、Ｒ１２（Ｒ２１、Ｒ２２、Ｒ３１、Ｒ３２）としたとき、任意の二次分割電極から分割電極１３を通って基点分割電極Ｒに至る経路が２以上形成され、うち１つの経路がヒューズ部１４を２つだけ通る経路とされ、他の経路はヒューズ部１４を３つ以上通る経路とされている。
【０００８】
また、本発明のさらに別の金属化フィルムは、誘電体フィルム３に蒸着電極４を形成してなる金属化フィルム２（２Ａ）であって、蒸着電極４が、絶縁スリット８によって分割された略四角形の複数の分割電極１３と、隣り合う分割電極１３、１３同士を接続するヒューズ部１４とを備えており、以下の関係が全ての分割電極１３において成り立っていることを特徴としている。
（１）ある任意の分割電極１３を基点分割電極Ｒとし、基点分割電極Ｒとヒューズ部１４を介して接続された分割電極１３を一次分割電極Ｒ１（Ｒ２、Ｒ３）とし、一次分割電極Ｒ１（Ｒ２、Ｒ３）と他のヒューズ部１４を介して接続された分割電極１３を二次分割電極Ｒ１１、Ｒ１２（Ｒ２１、Ｒ２２、Ｒ３１、Ｒ３２）としたとき、任意の二次分割電極から分割電極１３を通って基点分割電極Ｒに至る経路が２以上形成され、うち１つの経路がヒューズ部１４を２つだけ通る経路とされ、他の経路はヒューズ部１４を３つ以上通る経路とされている。
【０００９】
また、本発明のさらに別の金属化フィルムは、誘電体フィルム３に蒸着電極４を形成してなる金属化フィルム２（２Ａ、２Ｂ）であって、蒸着電極４が、誘電体フィルム３の幅方向の一方端部に設けられた接続部６と、絶縁スリット８によって分割された複数の分割電極１３と、隣り合う分割電極１３、１３同士を接続するヒューズ部１４とを備えており、最も接続部６側の分割電極１３を除く他の分割電極１３が、分割電極１つにつき３つの分割電極とヒューズ部１４を介して接続されており、以下の関係がある分割電極１３において成り立っていることを特徴としている。
（２）ある任意の分割電極１３を基点分割電極Ｒとし、基点分割電極Ｒと第１のヒューズ部１４を介して接続された一次分割電極Ｒ１と、この一次分割電極Ｒ１と他のヒューズ部１４を介して接続された２つの二次分割電極Ｒ１１、Ｒ１２とを第１の分割電極群とし、基点分割電極Ｒと第２のヒューズ部１４を介して接続された一次分割電極Ｒ２と、この一次分割電極Ｒ２と他のヒューズ部１４を介して接続された２つの二次分割電極Ｒ２１、Ｒ２２とを第２の分割電極群とし、基点分割電極Ｒと第３のヒューズ部１４を介して接続された一次分割電極Ｒ３と、この一次分割電極Ｒ３と他のヒューズ部１４を介して接続された２つの二次分割電極Ｒ３１、Ｒ３２とを第３の分割電極群としたとき、分割電極群間で分割電極１３の重複が生じていない。
【００１０】
また、本発明のさらに別の金属化フィルムは、誘電体フィルム３に蒸着電極４を形成してなる金属化フィルム２（２Ａ）であって、蒸着電極４が、絶縁スリット８によって分割された略四角形の複数の分割電極１３と、隣り合う分割電極１３、１３同士を接続するヒューズ部１４とを備えており、以下の関係がある分割電極１３において成り立っていることを特徴としている。
（２）ある任意の分割電極１３を基点分割電極Ｒとし、基点分割電極Ｒと第１のヒューズ部１４を介して接続された一次分割電極Ｒ１と、この一次分割電極Ｒ１と他のヒューズ部１４を介して接続された２つの二次分割電極Ｒ１１、Ｒ１２とを第１の分割電極群とし、基点分割電極Ｒと第２のヒューズ部１４を介して接続された一次分割電極Ｒ２と、この一次分割電極Ｒ２と他のヒューズ部１４を介して接続された２つの二次分割電極Ｒ２１、Ｒ２２とを第２の分割電極群とし、基点分割電極Ｒと第３のヒューズ部１４を介して接続された一次分割電極Ｒ３と、この一次分割電極Ｒ３と他のヒューズ部１４を介して接続された２つの二次分割電極Ｒ３１、Ｒ３２とを第３の分割電極群としたとき、分割電極群間で分割電極１３の重複が生じていない。
【００１１】
本発明の金属化フィルムコンデンサは、上記いずれかの金属化フィルム２（２Ａ、２Ｂ）を用いていることを特徴としている。
【発明の効果】
【００１２】
本発明の金属化フィルムは、分割電極が誘電体フィルムの幅方向に少なくとも３列並んでおり、誘電体フィルムの幅方向において接続部側の分割電極の列から順に、第１の列、第２の列、第３の列としたときに、第１の列に属する分割電極同士の間と、第２の列に属する分割電極同士の間とにはヒューズ部が設けられておらず、第３の列に属する分割電極同士の間にヒューズ部が設けられており、さらに、第１の列に属する１つの分割電極が第２の列に属する２つの分割電極とヒューズ部を介して接続され、第２の列に属する１つの分割電極が、第１の列に属する２つの分割電極とヒューズ部を介して接続されているとともに、第３の列に属する１つの分割電極とヒューズ部を介して接続されているため、第１の列から第３の列の任意の分割電極を基点分割電極とし、基点分割電極とヒューズ部を介して接続される分割電極を一次分割電極とし、一次分割電極とヒューズ部を介して接続する分割電極を二次分割電極としたとき、二次分割電極から分割電極を通って基点分割電極に至る経路が複数形成され、うち１つの経路がヒューズ部を２つだけ通る経路となり、他の経路はヒューズ部を３つ以上通る経路となる。そのため、基点分割電極で絶縁破壊が生じた場合に、二次分割電極からの電流は、ヒューズ部を２つだけ通る経路を通って基点分割電極に流れることとなり、電流の分散が抑制され、ヒューズ部の動作性を良好なものとすることができる。また、分割電極が略四角形であるため、略三角形とされた場合に比べて分割電極の隅部（コーナー部）における電界集中を抑制することができる。
【００１３】
本発明の別の金属化フィルムにおいても、二次分割電極から分割電極を通って基点分割電極に至る経路が複数形成され、うち１つの経路がヒューズ部を２つだけ通る経路とされ、他の経路はヒューズ部を３つ以上通る経路とされていることから、基点分割電極で絶縁破壊が生じた場合、二次分割電極からの電流は、ヒューズ部を２つだけ通る経路を通って基点分割電極に流れることとなり、電流の分散が抑制され、ヒューズ部の動作性を良好なものとすることができる。
【００１４】
本発明のさらに別の金属化フィルムにおいては、分割電極群間で分割電極の重複が生じていないため、二次分割電極から基点分割電極に至る経路のうち、通過するヒューズ部の数が最も少ない経路は１つしか形成されないこととなり、電流の分散が抑制され、ヒューズ部の動作性を良好なものとすることができる。
【図面の簡単な説明】
【００１５】
【図１】本願発明の実施形態に係る金属化フィルムコンデンサの一部を示す断面図である。
【図２】本願発明の実施形態に係る金属化フィルムの平面図である。
【図３】図２の部分拡大図であって、第３の列に属する分割電極を二次分割電極とした場合の、二次分割電極から基点分割電極への電流の経路を示す。
【図４】本発明の異なる実施形態に係る金属化フィルムの平面図である。
【図５】本発明のさらに異なる実施形態に係る金属化フィルムの平面図である。
【発明を実施するための形態】
【００１６】
次に、この発明の金属化フィルムの実施形態を図面に基づいて詳細に説明する。金属化フィルム２は、図１に示すように、誘電体フィルム３の表面にアルミや亜鉛等を蒸着させ、蒸着電極４を形成することで構成されている。
【００１７】
蒸着電極４は、図２に示すように、誘電体フィルム３の幅方向（以下、フィルム幅方向）の一方端部まで設けられている。その一方で、他方端部には誘電体フィルム３の長さ方向（以下、フィルム長さ方向）の全長に亘って設けられていない。これは、金属化フィルム２、２を重ね合わせてコンデンサ素子を製造するにあたって、フィルム幅方向の両端部にそれぞれ設けられるメタリコン電極５、５の双方と蒸着電極４とが接続しないようにするためのものである（図１参照）。なお、以下、説明のために、フィルム幅方向の一方端部側であってメタリコン電極５と接続される部位を接続部６と称し、フィルム幅方向の他方端部側の非蒸着部を絶縁マージン７と称す。
【００１８】
上記構成の蒸着電極４は、細長の非蒸着部からなる絶縁スリット８によって分割されている。具体的には、フィルム長さ方向に平行な複数の第１絶縁スリット８ａと、フィルム幅方向に平行な複数の第２絶縁スリット８ｂによって分割されている。
【００１９】
第１絶縁スリット８ａは、フィルム幅方向に３本設けられている。最も接続部６側に位置する第１絶縁スリット８ａは、フィルム幅方向の略中央に設けられており、蒸着電極４を、接続部側電極１１と絶縁マージン側電極１２とに分割している。他の２本の第１絶縁スリット８ａ、８ａは、絶縁マージン側電極１２をフィルム幅方向に略３等分している。ただし必ずしも略３等分とする必要はない。以下、フィルム幅方向に３分割された蒸着電極を、接続部６に近い側から第１の列、第２の列、第３の列とする。
【００２０】
第２絶縁スリット８ｂは、主に絶縁マージン側電極１２に設けられており、第１〜第３の列の蒸着電極をフィルム長さ方向に略等間隔に分割している。図２に示すように、第１の列の第２絶縁スリット８ｂは、第２、第３の列の第２絶縁スリット８ｂに対してフィルム長さ方向にずれている。具体的には、フィルム長さ方向における第２絶縁スリット８ｂ、８ｂ間の幅の略半分ずれている。したがって、第１絶縁スリット８ａと第２絶縁スリット８ｂとによって分割された略四角形の分割電極１３は、第１の列と、第２、３の列とでフィルム長さ方向にずれている。また、第２絶縁スリット８ｂは、一定間隔（複数本）毎に接続部側電極１１まで延設されている（図２における符号８ｂ１参照）。これは、接続部側電極１１をフィルム長さ方向で区画するためである。接続部側電極１１まで延設されている第２絶縁スリット８ｂ１、８ｂ１間の間隔は、例えば２０〜１００ｍｍである。
【００２１】
全ての分割電極１３は、第１絶縁スリット８ａや第２絶縁スリット８ｂを分断するようにして設けられたヒューズ部１４によって隣接する分割電極１３や接続部側電極１１と接続されている。このヒューズ部１４は、定常時は電流の経路になる一方で、分割電極１３に絶縁破壊が生じた場合に溶断し、当該分割電極１３を他の分割電極１３や接続部側電極１１から切り離し、コンデンサ全体の絶縁を回復するためのものである。
【００２２】
ヒューズ部１４は、接続部側電極１１と第１の列に属する分割電極１３との間、第１の列に属する分割電極１３と第２の列に属する分割電極１３との間、第２の列に属する分割電極１３と第３の列に属する分割電極１３との間、第３の列に属する分割電極１３、１３同士の間に設けられている。第１の列に属する分割電極１３、１３同士の間と、第２の列に属する分割電極１３、１３同士の間とには設けられていない。またヒューズ部１４は、１つの分割電極１３に対して３つ接続されている。第１の列の１つの分割電極１３を例に挙げると、接続部６側において、接続部側電極１１と１つのヒューズ部１４で接続され、絶縁マージン７側において、第２の列の２つの分割電極１３、１３とそれぞれ１つのヒューズ部１４で接続されている。第２の列の１つの分割電極１３を例に挙げると、第１の列の２つの分割電極１３、１３とそれぞれ１つのヒューズ部１４で接続され、第３の列の１つの分割電極１３と１つのヒューズ部１４で接続されている。第３の列の１つの分割電極１３を例に挙げると、第２の列の１つの分割電極１３と１つのヒューズ部１４で接続され、フィルム長さ方向で隣接する２つの分割電極１３、１３とそれぞれ１つのヒューズ部１４で接続されている。なお、この状態は、最も接続部６側の分割電極１３（第１の列に属する分割電極）を除く他の分割電極１３（第２、３の列に属する分割電極）が、１つの分割電極１３につき３つの分割電極１３とヒューズ部１４を介してそれぞれ直接的に（ヒューズ部以外を介在させること無く）接続されているといえる。いずれのヒューズ部１４も、１つの分割電極１３のフィルム長さ方向における中心軸に対して左右対称となるように設けられている。なお、以下、必要に応じて、第１絶縁スリット８ａを分断するヒューズ部を縦ヒューズ部１４ａ、第２絶縁スリット８ｂを分断するヒューズ部を横ヒューズ部１４ｂと称す。
【００２３】
上記構成の金属化フィルム２は、図２に示すように、ある任意の分割電極１３を基点分割電極Ｒとし、基点分割電極Ｒとヒューズ部１４を介して接続された分割電極１３を一次分割電極Ｒ１、Ｒ２、Ｒ３とし、一次分割電極Ｒ１と他のヒューズ部１４（基点分割電極Ｒと一次分割電極Ｒ１、Ｒ２、Ｒ３とを接続するヒューズ部１４とは異なるヒューズ部）を介して接続された分割電極１３を二次分割電極Ｒ１１、Ｒ１２、Ｒ２１、Ｒ２２、Ｒ３１、Ｒ３２としたとき、任意の二次分割電極から分割電極１３（接続部側電極１１を含まない）を通って基点分割電極Ｒに至る複数の経路のうち、ヒューズ部１４を２つだけ通る経路が１つとされ、他はヒューズ部１４を３つ以上通る経路とされている。
【００２４】
また、基点分割電極Ｒに接続されている３つのヒューズ部１４をそれぞれ第１、第２、第３のヒューズ部とし、基点分割電極Ｒと第１のヒューズ部１４を介して接続された一次分割電極Ｒ１と、この一次分割電極Ｒ１と他のヒューズ部１４を介して接続された２つの二次分割電極Ｒ１１、Ｒ１２とを第１の分割電極群とし、基点分割電極Ｒと第２のヒューズ部１４を介して接続された一次分割電極Ｒ２と、この一次分割電極Ｒ２と他のヒューズ部１４を介して接続された２つの二次分割電極Ｒ２１、Ｒ２２とを第２の分割電極群とし、基点分割電極Ｒと第３のヒューズ部１４を介して接続された一次分割電極Ｒ３と、この一次分割電極Ｒ３と他のヒューズ部１４を介して接続された２つの二次分割電極Ｒ３１、Ｒ３２とを第３の分割電極群としたとき、分割電極群間で分割電極１３の重複が生じていない。すなわち、いずれの分割電極１３も２つ以上の分割電極群に属していない。なお、第１の列の分割電極１３を基点分割電極Ｒとすると、３つのヒューズ部１４のうちの１つが接続部側電極１１と接続されているため、形成される分割電極群は２つである。この２つの分割電極群を第１、第２の分割電極群とすれば、分割電極群間で分割電極１３の重複は生じない。また、任意の二次分割電極から分割電極１３を通って基点分割電極Ｒに至る複数の経路のうち、ヒューズ部１４を２つだけ通る経路は１つである。
【００２５】
すなわち、どの分割電極１３を基点分割電極Ｒとしたとしても、分割電極群間において分割電極１３の重複が生じておらず、二次分割電極から分割電極１３を通って基点分割電極Ｒに至る複数の経路のうち、ヒューズ部１４を２つだけ通る経路は１つとされている。
【００２６】
従って、上記構成の金属化フィルム２を用いて製造された金属化フィルムコンデンサ１では、分割電極１３に絶縁破壊が生じた際、以下のように動作する。まず、図３に示すように、分割電極１３に絶縁破壊Ｂが生じると、周囲の分割電極１３の電荷が、絶縁破壊が生じた分割電極１３に流れ込む。この際、絶縁破壊が生じた分割電極１３を基点分割電極Ｒとすると、例えば二次分割電極Ｒ３２から分割電極１３を通って基点分割電極Ｒに至る経路としては、図３の実線矢印や破線矢印で示すように複数形成されるが、ヒューズ部１４を２つだけ通る経路（実線矢印で示す経路）は１つだけであって、他の経路は３つ以上のヒューズ部１４を通る。ヒューズ部１４は分割電極１３に比べて幅が狭く抵抗が大きいため、電流はなるべくヒューズ部１４を避けて流れようとする。そのため、二次分割電極Ｒ３２からの電流は、複数の経路のうち、分割電極１３を通りつつヒューズ部１４を２つだけ通る経路（通過するヒューズ部１４の数が最少となる経路）を流れることとなり、電荷の分散が抑制される結果、所望のヒューズ部１４に十分な電流を流すことができ、ヒューズ部１４を確実に溶断（動作）させることができる。
【００２７】
次に、本発明の別の金属化フィルム２Ａについて説明する。図４に示すように、この金属化フィルム２Ａでは、蒸着電極４が６本の第１絶縁スリット８ａによってフィルム幅方向に分割されている。フィルム幅方向に６分割された蒸着電極４を、接続部６に近い側から第１の列、第２の列、第３の列、第４の列、第５の列、第６の列とすると、第１の列の分割電極１３に対して、第２、第３、第４の列の分割電極１３がフィルム長さ方向にずれている。ずれ幅は、１つの分割電極１３のフィルム長さ方向の幅の略半分である。第５、第６の列の分割電極１３は、第１の列の分割電極１３に対してずれていない。
【００２８】
ヒューズ部１４は、１つの分割電極１３に対して３つ接続されている。第１の列の１つの分割電極１３を例に挙げると、接続部６側において、接続部側電極１１と１つのヒューズ部１４で接続され、絶縁マージン７側において、第２の列の２つの分割電極１３、１３とそれぞれ１つのヒューズ部１４で接続されている。第２の列の１つの分割電極１３を例に挙げると、第１の列の２つの分割電極１３、１３とそれぞれ１つのヒューズ部１４で接続され、第３の列の１つの分割電極１３と１つのヒューズ部１４で接続されている。第３の列の１つの分割電極１３を例に挙げると、第２の列の１つの分割電極１３と１つのヒューズ部１４で接続され、フィルム長さ方向で隣接する１つの分割電極１３と１つのヒューズ部１４で接続され、第４の列の１つの分割電極１３と１つのヒューズ部１４で接続されている。第４の列の１つの分割電極１３を例に挙げると、第３の列の１つの分割電極１３と１つのヒューズ部１４で接続され、第５の列の２つの分割電極１３、１３とそれぞれ１つのヒューズ部１４で接続されている。第５の列の１つの分割電極１３を例に挙げると、第４の列の２つの分割電極１３、１３とそれぞれ１つのヒューズ部１４で接続され、第６の列の１つの分割電極１３と１つのヒューズ部１４で接続されている。第６の列の１つの分割電極１３を例に挙げると、第５の列の１つの分割電極１３と１つのヒューズ部１４で接続され、フィルム長さ方向で隣接する２つの分割電極１３、１３とそれぞれ１つのヒューズ部１４で接続されている。従って、第１、第２、第４、第５の列の分割電極１３には縦ヒューズ部１４ａのみが接続され、第３、第６の列の分割電極１３には、縦ヒューズ部１４ａに加えて横ヒューズ部１４ｂが接続されている。
【００２９】
上記構成の金属化フィルム２Ａも、どの分割電極１３を基点分割電極Ｒとしたとしても、分割電極群間において分割電極１３の重複が生じておらず、さらに二次分割電極から分割電極１３を通って基点分割電極Ｒに至る複数の経路のうち、ヒューズ部１４を２つだけ通る経路は１つとされている。そのため、この金属化フィルム２Ａを用いた金属化フィルムコンデンサでは、上記金属化フィルムコンデンサ１と同様の作用効果を奏する。
【００３０】
図５は、本発明のさらに別の金属化フィルムである。図５に示すように、この金属化フィルム２Ｂでは、分割電極１３が一部、略三角形とされている。具体的に説明すると、フィルム長さ方向に平行な第１絶縁スリット８ａと、フィルム幅方向に平行な第２絶縁スリット８ｂに加えて、第１絶縁スリット８ａと第２絶縁スリット８ｂとの交点を結ぶようにして第３絶縁スリット８ｃが設けられており、絶縁マージン側電極１２が略三角形に分割されている。ただ、最も絶縁マージン７側に位置する列には第３絶縁スリット８ｃは設けられておらず、この列の分割電極１３については略四角形である。略三角形の分割電極１３には、略三角形を構成する辺にそれぞれ１つずつヒューズ部１４（縦ヒューズ部１４ａ、横ヒューズ部１４ｂ、斜めヒューズ部１４ｃ（第３絶縁スリット８ｃを分断するようにして設けられたヒューズ部））が接続されており、隣接する分割電極１３や接続部側電極１１とこれらヒューズ部１４を介して接続している。略四角形の分割電極１３については、フィルム幅方向で隣接する略三角形の分割電極１３と１つのヒューズ部１４で接続されているとともに、フィルム長さ方向で隣接する２つの分割電極１３、１３とそれぞれ１つのヒューズ部１４で接続されている。従って、略三角形の分割電極１３も略四角形の分割電極１３も、それぞれ３つのヒューズ部１４が接続されているといえる。
【００３１】
上記構成の金属化フィルム２Ｂについても、どの分割電極１３を基点分割電極Ｒとしたとしても分割電極群間において分割電極１３の重複が生じておらず、さらに二次分割電極から分割電極１３を通って基点分割電極Ｒに至る複数の経路のうち、ヒューズ部１４を２つだけ通る経路は１つとされている。そのため、この金属化フィルム２Ｂを用いた金属化フィルムコンデンサについても、上記金属化フィルムコンデンサ１と同様の作用効果を奏する。
【００３２】
本発明の金属化フィルムコンデンサ１は、図１に示すように、上記構成の複数枚の金属化フィルム２（２Ａ、２Ｂ）を、絶縁マージン７の位置が上下で互い違いとなるように、且つ蒸着電極４、４間に誘電体フィルム３が介在するようにして複数重ね合わせるとともに、フィルム幅方向の両端部にそれぞれメタリコン電極５、５を形成することで製造される。なお、図１は概略図であって誘電体フィルム３や蒸着電極４の厚みが誇張されている。実際の厚みは、誘電体フィルム３が例えば２〜８μｍ、蒸着電極４が５０〜５００Åと極めて薄い。なお、誘電体フィルム３のフィルム幅方向の長さは２５〜１５０ｍｍである。図２、４、５に示す金属化フィルムはフィルム長さ方向に連続している。
【００３３】
以上に、この発明の具体的な実施形態について説明したが、この発明は上記実施形態に限定されるものではなく、この発明の範囲内で種々変更して実施することが可能である。例えば、上記実施形態では、接続部側電極１１と分割電極１３との間、隣接する分割電極１３、１３同士の間に１つのヒューズ部１４が設けられていたが、２つ以上のヒューズ部１４を設けても良い。すなわち、１つの接続部側電極１１と１つの分割電極１３との間に２以上のヒューズ部１４を設けても良いし、１つの分割電極１３とそれに隣接する１つの分割電極１３との間に２つ以上のヒューズ部１４を設けても良い。また、列の数は３以上であれば適宜変更可能である。また接続部６としては、分割電極１３よりも肉厚の蒸着電極を用いる、いわゆるヘビーエッジを採用しても良い。金属化フィルム２、２を複数重ね合わせる方法としては単に積層する他、巻回によって重ね合わせても良い。また、１枚の誘電体フィルム３の両面に蒸着電極４を形成した両面金属化フィルムと誘電体フィルム３とを重ね合わせてコンデンサを形成しても良い。さらに、必ずしも同じ蒸着パターンの金属化フィルムを用いる必要は無く、異なる蒸着パターンの金属化フィルムを組み合わせてコンデンサを形成しても良い。また、接続部側電極１１は必ずしも設ける必要は無く、接続部６を除く蒸着部分を絶縁スリットによって分割しても良い。
【符号の説明】
【００３４】
１  金属化フィルムコンデンサ
２、２Ａ、２Ｂ  金属化フィルム
３  誘電体フィルム
４  蒸着電極
５  メタリコン電極
６  接続部
７  絶縁マージン
８  絶縁スリット
８ａ  第１絶縁スリット
８ｂ  第２絶縁スリット
８ｂ１  接続部側まで延設された第２絶縁スリット
８ｃ  第３絶縁スリット
１１  接続部側電極
１２  絶縁マージン側電極
１３  分割電極
１４  ヒューズ部
１４ａ  縦ヒューズ部
１４ｂ  横ヒューズ部
１４ｃ  斜めヒューズ部
Ｒ  基点分割電極
Ｒ１  第１の分割電極群の一次分割電極
Ｒ１１、Ｒ１２  第１の分割電極群の二次分割電極
Ｒ２  第２の分割電極群の一次分割電極
Ｒ２１、Ｒ２２  第２の分割電極群の二次分割電極
Ｒ３  第３の分割電極群の一次分割電極
Ｒ３１、Ｒ３２  第３の分割電極群の二次分割電極
Ｂ  絶縁が破壊した部分
【図１】
2020119981.tif 000003
【図２】
2020119981.tif 000004
【図３】
2020119981.tif 000005
【図４】
2020119981.tif 000006
【図５】
2020119981.tif 000007